(57)【要約】【課題】  ヘタリの発生を低減することができると共に、軽量化することができ、さらに保温性にも優れた布団類を提供する。【解決手段】  ポリエチレン樹脂の発泡体１をプロファイル加工することによって得られる、片面に多数の凹部２と凸部３が交互に規則配列して形成された樹脂発泡シート４を中芯５として用いる。そしてこの中芯５に布団綿６を重ねて布団類を形成する。【選択図】  図１
0003102029.tif 000002
【実用新案登録請求の範囲】
【請求項１】
ポリエチレン樹脂の発泡体をプロファイル加工することによって得られる、片面に多数の凹部と凸部が交互に規則配列して形成された樹脂発泡シートを中芯とし、この中芯に布団綿を重ねて成ることを特徴とする布団類。
【考案の詳細な説明】
【技術分野】
【０００１】
本考案は、敷布団や掛け布団、敷パット、室内の敷物など、内部に綿を入れて形成される布団類に関するものである。
【背景技術】
【０００２】
敷布団などの布団類は、中芯の回りに布団綿を巻いたり重ねたりして、これらを袋状の布地で作製した布団側で包むことによって形成されている。布団類は寝る人の体重によって圧縮されるため、布団綿のみで寝具を形成すると圧縮されて布団類の厚みが薄くなる、いわゆるヘタリが発生し易く、布団類の弾力が低下して寝心地が悪くなる。このために布団類、特に敷布団においては、圧縮に耐える中芯を用いることによって、体重による圧縮で厚みが薄くなるヘタリを低減し、寝心地を改善するようにしているのである。
【０００３】
このような中芯としては、ポリエステルのカールさせた単繊維を圧縮してバインダーで固めたポリエステル固綿を用いるのが一般的であるが、ポリエステル固綿は圧縮が繰り返して作用するとポリエステル単繊維のカールが徐々に延びて弾力性が低下するおそれがあり、長期に亘って布団を使用しているとヘタリが発生するものであった。またポリエステル固綿は見掛け密度が高く、布団類の全体重量が重くなるものであり、毎日の布団類の上げ下ろしの労力負担が大きいという問題もあった。
【考案の開示】
【考案が解決しようとする課題】
【０００４】
本考案は上記の点に鑑みてなされたものであり、ヘタリの発生を低減することができると共に、軽量化することができ、さらに保温性にも優れた布団類を提供することを目的とするものである。
【課題を解決するための手段】
【０００５】
本考案の請求項１に係る布団類は、ポリエチレン樹脂の発泡体１をプロファイル加工することによって得られる、片面に多数の凹部２と凸部３が交互に規則配列して形成された樹脂発泡シート４を中芯５とし、この中芯５に布団綿６を重ねて成ることを特徴とするものである。
【０００６】
ポリエチレン樹脂の発泡シート４で形成される中芯５は、軽量でかつヘタリが小さく、また保温性に優れている。また樹脂発泡シート４は、樹脂発泡体１をプロファイル加工することによって片面に多数の凹部２と凸部３が交互に規則配列して形成されたものであり、凸部３の部分で厚みを確保しながら、凹部２の部分で軽量化と保温性を高めることができる。
【考案の効果】
【０００７】
本考案によれば、ヘタリの発生を低減することができると共に、軽量化することができ、さらに保温性にも優れた布団類を提供することができる。
【考案を実施するための最良の形態】
【０００８】
以下、本考案を実施するための最良の形態を説明する。
【０００９】
本考案において中芯５として用いる樹脂発泡シート４は、樹脂発泡体１をプロファイル加工して作製されるものであり、この樹脂発泡体１としてはポリエチレン樹脂の発泡体を用いるものである。ポリエチレン樹脂の発泡体はヘタリの発生が小さく、軽量に形成することができ、また断熱性も高いものである。樹脂発泡体１としては２０〜５０倍発泡したものが好ましい。また樹脂発泡体１としては、図２（ａ）のように、複数枚のポリエチレン樹脂発泡体１ａを積層して溶着一体化したものを用いることもできる。また、ポリエチレン樹脂発泡体１ａに後述のプロファイル加工をしない部分においてポリウレタン発泡体やラバーフォームなど他の樹脂発泡体を積層したものを用いることもできる。
【００１０】
プロファイル加工は、図５に示すように、加圧ロール１２の外周に凸部１０と凹部１１を円周方向及び軸方向に交互に規則配列して設け、この加圧ロール１２を凸部１０と凹部１１が対向するように平行に一対配置すると共に、両加圧ロール１２，１２間にカッター１３を配置して形成されるプロファイル裁断装置を用いて行なうことができるものである。そして、回転駆動される加圧ロール１２，１２の間に樹脂発泡体１を通して、加圧ロール１２，１２の凸部１０と凹部１１の間で樹脂発泡体１を圧縮しながら、その厚み方向の中央をカッター１３で切断することによって、図２（ｂ）のような、切断面に多数の凹部２と凸部３が交互に規則配列して形成された二枚の樹脂発泡シート４を得ることができるものである。
【００１１】
このように、多数の凹部２と凸部３が交互に規則配列したプロファイル加工面が片面に形成された樹脂発泡シート４を中芯５として用いるものであり、樹脂発泡シート４の厚みは、４ｍｍ〜６０ｍｍの厚みの樹脂発泡体１を厚み方向の中央で裁断して得られる、平均厚みが２ｍｍ〜３０ｍｍの範囲のものが好ましく、また凸部３の部分の厚みＷ１と凹部２の部分の厚みＷ２との比が３：１〜２：１の範囲になるように設定するのが好ましい。
【００１２】
そしてこの片面に多数の凹部２と凸部３を形成した樹脂発泡シート４を中芯５として用い、中芯５の外周に布団綿６を巻き、あるいは中芯５の上下両面に布団綿６を重ね、これらを袋状の布地で作製した布団側１４で包むことによって、図１に示すような、敷布団や掛け布団、あるいは敷パット、室内の敷物などとして使用される布団類Ａを得ることができるものである。布団綿６としてはウール、ポリエステル繊維、綿等の従来から用いられるものを使用することができる。この布団類Ａにあって、中芯５の凹部２と凸部３が形成された面を上下どちらにして使用するかは自由であるが、敷布団として使用する場合には、中芯５の凹部２と凸部３が形成された面を上にして使用すれば、凸部３による指圧効果が得られるので好ましい。
【００１３】
このようにして得られる布団類Ａにあって、ポリエチレンの樹脂発泡シート４からなる中芯５はヘタリの発生が小さく、軽量であり、断熱性が高いので、布団類Ａはヘタリの発生が小さく、軽量に形成することができ、また保温性も高いものである。特に、プロファイル加工した樹脂発泡シート４は、凸部３の部分で厚みを確保しながら、凹部２の部分で軽量化と保温性を高めることができ、軽量化と保温性により優れた布団類Ａを得ることができるものである。
【００１４】
ここで、樹脂発泡体１として複数枚の樹脂発泡体１ａを熱溶着して一体化したものを用いる場合、この樹脂発泡体１をプロファイル加工して得られる樹脂発泡シート４には、図３のように、凸部３を横切るように樹脂発泡体１ａ間の熱溶着層１５が形成され、この熱溶着層１５は他の部分よりも硬くなっている。従って、布団類Ａを敷布団などとして使用する場合、柔らかい凸部３に体重が作用した際に凸部３が容易に押し潰されることを熱溶着層１５で防ぐことができ、体の沈み込みを防ぐことができるものである。
【００１５】
図４は本考案の他の実施の形態を示すものであり、中芯５の両面に貫通する孔を設け、通気性の良好な布団類Ａを得るようにしたものである。孔として図４の実施の形態では、中芯５の長手方向と平行な方向に長い矩形孔１６と、丸孔１７とを形成するようにしてある。矩形孔１６は中芯５を長手方向にほぼ三分割する位置において、幅方向に複数本並列して形成してあり、丸孔１７は中芯５の周囲を除く全面に形成してある。矩形孔１６は１ｃｍ×１２ｃｍ程度の孔径で、丸孔１７は直径６〜８ｍｍ程度の寸法で形成してある。矩形孔１６をこのように中芯５を長手方向にほぼ三分割する位置に設けることによって、布団類Ａを収納する際に容易に三つ折りに折ることができるものである。
【００１６】
尚、樹脂発泡体１としては、独立気泡の発泡体、連続気泡の発泡体のいずれでもよい。ここで、独立気泡の樹脂発泡体１を用いる場合、樹脂発泡体１をプロファイル加工して切断する際に、樹脂発泡シート４のプロファイル加工面には、独立気泡が切断されて形成される微小なクレーター状の開口が無数に存在することになり、この微小開口に抗菌剤、防ダニ剤、その他脱臭剤など各種の機能性剤を含浸させて保持させることができ、布団類Ａに各種の機能を付与することができるものである。
【実施例】
【００１７】
次に、本考案を実施例によって具体的に説明する。
【００１８】
（実施例）
発泡倍率３０倍のポリエチレン樹脂発泡体１をプロファイル加工して得られる、凸部３の部分の厚さ３０ｍｍ、凹部２の部分の厚さ１５ｍｍで、縦２ｍ×横１ｍの大きさの樹脂発泡シート４（古河電工社製「ＳＮ３０Ｗ」）を用い、図４のように１ｃｍ×１２ｃｍの矩形孔１６と直径７ｍｍの丸孔１７を形成して、中芯５として用いた。この中芯５の重量は１．２ｋｇであった。そしてこの中芯５にポリエステル繊維の布団綿６を巻き付け、これを布団側１４で包むことによって、敷布団を作製した。この敷布団の質量は３．７ｋｇであった。
【００１９】
（比較例）
厚さ３０ｍｍで縦２ｍ×横１ｍの大きさのポリエステル固綿を中芯５として用いた。この中芯５の重量は２．０ｋｇであった。そしてこの中芯５に実施例と同じ布団綿６を巻き付け、これを布団側１４で包むことによって、敷布団を作製した。この敷布団の質量は４．５ｋｇであった。
【００２０】
上記のように作製した実施例及び比較例の敷布団を１０人のパネラーに６ヶ月ずつ使用してもらい、「軽さ」、「収納性」、「嵩高さの維持」、「弾力性の維持」、「保温性」について、非常に良好であるを「◎」、良好であるを「○」、普通であるを「△」として三段階評価してもらった。尚、「収納性」は押し入れに出し入れする際の取り扱い性についてのものであって、軽量性に関連するものであり、また「嵩高さの維持」及び「弾力性の維持」はヘタリに関連するものである。１０人のパネラーの評価を平均して得た結果を表１に示す。
【００２１】
【表１】
0003102029.tif 000003
【図面の簡単な説明】
【００２２】
【図１】本考案の実施の形態の一例を示す一部破断した断面図である。
【図２】（ａ）は同上の樹脂発泡体の斜視図、（ｂ）は同上の樹脂発泡シート（中芯）の斜視図である。
【図３】樹脂発泡シート（中芯）の他の実施の形態の一部破断した断面図である。
【図４】樹脂発泡シート（中芯）の他の実施の形態の斜視図である。
【図５】プロファイル裁断装置の概略図である。
【符号の説明】
【００２３】
１  樹脂発泡体
２  凹部
３  凸部
４  樹脂発泡シート
５  中芯
６  布団綿
【図１】
0003102029.tif 000004
【図２】
0003102029.tif 000005
【図３】
0003102029.tif 000006
【図４】
0003102029.tif 000007
【図５】
0003102029.tif 000008